【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
遊技領域に向けて遊技球が打ち込まれる遊技盤と、
前記遊技領域に向けて打ち込まれた遊技球に対して常に開口される第１受入口と、
可動部材を有し、前記遊技領域に向けて打ち込まれた遊技球に対して該可動部材が開閉動作したときに開口される第２受入口と、
前記遊技領域に設けられる普通受入口と、
前記普通受入口に遊技球が受け入れられたことに基づいて普通抽選を行う普通抽選手段と、
前記普通抽選手段により前記普通抽選が行われることに基づいて所定の表示部に変動表示される普通図柄の変動時間を決定する普通変動時間決定手段と、
前記普通変動時間決定手段により決定された変動時間だけ前記普通図柄を変動表示させる普通変動制御手段と、
前記普通抽選手段による抽選結果が所定の結果であるとき、前記普通変動時間決定手段により決定される所定時間だけ前記普通図柄を変動表示させた後、前記可動部材を開閉動作させる制御を行う開口制御手段と、
前記第１受入口、及び前記可動部材の開閉動作によって開口された前記第２受入口のいずれかに遊技球が受け入れられたことに基づいて特別抽選を行う特別抽選手段と、
前記特別抽選手段により前記特別抽選が行われるとき、所定の表示部に表示される特別図柄の変動表示を行うにあたり、当該変動表示に要する特別変動時間を決定し、該決定された特別変動時間だけ前記特別図柄を変動表示させる特別変動制御手段と、
前記特別抽選手段による前記特別抽選の結果に応じて、遊技者により賞球が獲得可能とされる特別遊技についての制御を実行可能な特別遊技制御手段と、
前記特別遊技制御手段により特別遊技が行われた後に、前記第２受入口への入球が相対的に困難とされる第１の遊技状態から、該第１の遊技状態よりも前記第２受入口の開口頻度が高められて同第２受入口への入球が相対的に容易とされる第２の遊技状態への制御を実行可能な遊技状態制御手段と、
前記特別抽選手段による前記特別抽選の結果に基づいて、演出表示にかかる制御を実行可能な演出表示制御手段と
を備え、
前記特別抽選手段は、
前記第１受入口、及び前記可動部材の開閉動作によって開口された前記第２受入口のいずれかに遊技球が受け入れられたとき、それら受入口の別に分類して前記特別抽選の実行を所定の特別上限数まで待機させる特別保留手段、及び
少なくとも前記特別変動制御手段による特別図柄の変動表示が行われていないことを条件に、前記特別保留手段によって待機状態とされている前記特別抽選の１つを待機状態から解除して実行可能な状態とするとともに、該解除された特別抽選を前記分類された受入口の種類に対応させて実行する特別保留消化手段
を有しており、
前記特別変動制御手段は、
前記第１の遊技状態において普通図柄の変動表示が開始されてから前記所定時間が経過していないにもかかわらず、前記第２の遊技状態に移行制御され、且つ、前記特別保留消化手段により前記第１受入口に対応させて待機状態とされている前記特別抽選が行われる場合、所定の表示部における特別図柄の変動表示を行うにあたり、当該変動表示に要する前記特別変動時間として、前記第１の遊技状態にあるときに前記普通変動時間決定手段により決定される普通図柄の変動時間よりも長い時間を決定可能な第１制御手段、及び
前記第１の遊技状態において普通図柄の変動表示が開始されてから前記所定時間が経過していないにもかかわらず、前記第２の遊技状態に移行制御され、且つ、前記特別保留消化手段により前記第２受入口に対応させて待機状態とされている前記特別抽選が行われる場合、所定の表示部における特別図柄の変動表示を行うにあたり、当該変動表示に要する前記特別変動時間として、前記第１の遊技状態にあるときに前記普通変動時間決定手段により決定される普通図柄の変動時間よりも短い時間を決定可能な第２制御手段
を有しており、
前記第２受入口に対応させて待機状態とされている前記特別抽選が行われるときは、前記第１受入口に対応させて待機状態とされている前記特別抽選が行われるときよりもその内容を優賞とする遊技機であって、さらに、
演出動作が可能な演出役物と、
前記第１受入口に遊技球が受け入れられたことに基づいて特別抽選が行われた場合と、前記第２受入口に遊技球が受け入れられたことに基づいて特別抽選が行われた場合とのいずれの場合においても、特別抽選の結果に基づいて前記演出役物を特定の動作態様にて演出動作させる特定制御を実行可能な演出動作制御手段
を備え、
前記第１の遊技状態において普通図柄の変動表示が開始されてから前記所定時間が経過していないにもかかわらず、前記第２の遊技状態に移行制御され、且つ、前記特別保留消化手段により前記第１受入口に対応させて待機状態とされている前記特別抽選に応じた特別図柄の変動表示が行われる場合を含めて、前記第２の遊技状態にあるときに前記第１受入口に対応させて待機状態とされている前記特別抽選に応じた特別図柄の変動表示が行われる場合、該特別図柄の変動表示として、前記第２の遊技状態にあるときに前記普通変動時間決定手段により決定される普通図柄の変動時間よりも短い変動時間しか変動表示されないものは出現し得ないように制御される
ことを特徴とする遊技機。
【請求項２】
請求項１に記載の遊技機において、
遊技者が操作可能な操作ハンドルがさらに設けられてなり、この操作ハンドルの操作によって前記遊技領域に遊技球が打ち込まれる遊技機。
【請求項３】
前記操作ハンドルの操作量に応じた強さによって前記遊技領域に遊技球が打ち込まれる
請求項２に記載の遊技機。
【手続補正２】
【補正対象書類名】明細書
【補正対象項目名】０００５
【補正方法】変更
【補正の内容】
【０００５】
しかしながら、上記従来の遊技であっても、興趣の低下が懸念される。
【手続補正３】
【補正対象書類名】明細書
【補正対象項目名】０００６
【補正方法】変更
【補正の内容】
【０００６】
本発明は、上述した問題を解決するためになされたものであり、その目的は、興趣の低下を抑制することのできる遊技機を提供する。
【手続補正４】
【補正対象書類名】明細書
【補正対象項目名】０００７
【補正方法】変更
【補正の内容】
【０００７】
手段１：遊技領域に向けて遊技球が打ち込まれる遊技盤と、
前記遊技領域に向けて打ち込まれた遊技球に対して常に開口される第１受入口と、
可動部材を有し、前記遊技領域に向けて打ち込まれた遊技球に対して該可動部材が開閉動作したときに開口される第２受入口と、
前記遊技領域に設けられる普通受入口と、
前記普通受入口に遊技球が受け入れられたことに基づいて普通抽選を行う普通抽選手段と、
前記普通抽選手段により前記普通抽選が行われることに基づいて所定の表示部に変動表示される普通図柄の変動時間を決定する普通変動時間決定手段と、
前記普通変動時間決定手段により決定された変動時間だけ前記普通図柄を変動表示させる普通変動制御手段と、
前記普通抽選手段による抽選結果が所定の結果であるとき、前記普通変動時間決定手段により決定される所定時間だけ前記普通図柄を変動表示させた後、前記可動部材を開閉動作させる制御を行う開口制御手段と、
前記第１受入口、及び前記可動部材の開閉動作によって開口された前記第２受入口のいずれかに遊技球が受け入れられたことに基づいて特別抽選を行う特別抽選手段と、
前記特別抽選手段により前記特別抽選が行われるとき、所定の表示部に表示される特別図柄の変動表示を行うにあたり、当該変動表示に要する特別変動時間を決定し、該決定された特別変動時間だけ前記特別図柄を変動表示させる特別変動制御手段と、
前記特別抽選手段による前記特別抽選の結果に応じて、遊技者により賞球が獲得可能とされる特別遊技についての制御を実行可能な特別遊技制御手段と、
前記特別遊技制御手段により特別遊技が行われた後に、前記第２受入口への入球が相対的に困難とされる第１の遊技状態から、該第１の遊技状態よりも前記第２受入口の開口頻度が高められて同第２受入口への入球が相対的に容易とされる第２の遊技状態への制御を実行可能な遊技状態制御手段と、
前記特別抽選手段による前記特別抽選の結果に基づいて、演出表示にかかる制御を実行可能な演出表示制御手段と
を備え、
前記特別抽選手段は、
前記第１受入口、及び前記可動部材の開閉動作によって開口された前記第２受入口のいずれかに遊技球が受け入れられたとき、それら受入口の別に分類して前記特別抽選の実行を所定の特別上限数まで待機させる特別保留手段、及び
少なくとも前記特別変動制御手段による特別図柄の変動表示が行われていないことを条件に、前記特別保留手段によって待機状態とされている前記特別抽選の１つを待機状態から解除して実行可能な状態とするとともに、該解除された特別抽選を前記分類された受入口の種類に対応させて実行する特別保留消化手段
を有しており、
前記特別変動制御手段は、
前記第１の遊技状態において普通図柄の変動表示が開始されてから前記所定時間が経過していないにもかかわらず、前記第２の遊技状態に移行制御され、且つ、前記特別保留消化手段により前記第１受入口に対応させて待機状態とされている前記特別抽選が行われる場合、所定の表示部における特別図柄の変動表示を行うにあたり、当該変動表示に要する前記特別変動時間として、前記第１の遊技状態にあるときに前記普通変動時間決定手段により決定される普通図柄の変動時間よりも長い時間を決定可能な第１制御手段、及び
前記第１の遊技状態において普通図柄の変動表示が開始されてから前記所定時間が経過していないにもかかわらず、前記第２の遊技状態に移行制御され、且つ、前記特別保留消化手段により前記第２受入口に対応させて待機状態とされている前記特別抽選が行われる場合、所定の表示部における特別図柄の変動表示を行うにあたり、当該変動表示に要する前記特別変動時間として、前記第１の遊技状態にあるときに前記普通変動時間決定手段により決定される普通図柄の変動時間よりも短い時間を決定可能な第２制御手段
を有しており、
前記第２受入口に対応させて待機状態とされている前記特別抽選が行われるときは、前記第１受入口に対応させて待機状態とされている前記特別抽選が行われるときよりもその内容を優賞とする遊技機であって、さらに、
演出動作が可能な演出役物と、
前記第１受入口に遊技球が受け入れられたことに基づいて特別抽選が行われた場合と、前記第２受入口に遊技球が受け入れられたことに基づいて特別抽選が行われた場合とのいずれの場合においても、特別抽選の結果に基づいて前記演出役物を特定の動作態様にて演出動作させる特定制御を実行可能な演出動作制御手段
を備え、
前記第１の遊技状態において普通図柄の変動表示が開始されてから前記所定時間が経過していないにもかかわらず、前記第２の遊技状態に移行制御され、且つ、前記特別保留消化手段により前記第１受入口に対応させて待機状態とされている前記特別抽選に応じた特別図柄の変動表示が行われる場合を含めて、前記第２の遊技状態にあるときに前記第１受入口に対応させて待機状態とされている前記特別抽選に応じた特別図柄の変動表示が行われる場合、該特別図柄の変動表示として、前記第２の遊技状態にあるときに前記普通変動時間決定手段により決定される普通図柄の変動時間よりも短い変動時間しか変動表示されないものは出現し得ないように制御される
ことを特徴とする遊技機。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
この発明によれば、興趣の低下を抑制することができる。